(57)【要約】      （修正有）【課題】スリットロックにおける上下左右の動きを抑制する。【解決手段】前板１２と後板と左右の側板１４からなる四角筒状胴部１０と、その胴部の底面を塞ぐ底板と、同胴部の上面開口を塞ぐ蓋板１５と、蓋板の先端部に設けたフラップ１６と、そのフラップの先端縁に設けた差し込み片４０とを有する包装箱Ａ１であって、差し込み片が差し込まれる一方のスリットを左右方向に形成するとともに、その両端から下方に向かって易破断線を設けて係止片３０を形成し、フラップと差し込み片の連接両端部は４５度傾斜のスリット４１が形成され、係止片にもスリットに対応して同形状の４５度傾斜のスリット３２ａが形成されている。差し込み片が一方のスリットに差し込まれると、両端のスリットと係止片のスリットとは、スリットの長さ方向の傾斜した切断面が衝合して嵌り合い、胴部と蓋板への上下左右方向からの力に対してその嵌り合いが抗力を発揮する。【選択図】図１
2020111373.tif 000002
【特許請求の範囲】
【請求項１】
前後板（１２、１３）と左右の側板（１４、１４）からなる四角筒状胴部（１０）と、その胴部（１０）の底面を塞ぐ底板（１１）と、同胴部（１０）の上面開口を塞ぐ蓋板（１５）と、蓋板（１５）の先端部に設けたフラップ（１６）と、そのフラップ（１６）の先端縁に設けた差し込み片（４０）と、を有し、前記フラップ（１６）を沿わせる胴部（１０）の前後板（１２、１３）の一方に、前記差し込み片が胴部（１０）表面から差し込まれる一方のスリット（３２）を左右方向に形成するとともに、その一方のスリット（３２）の両端から下方に向かって易破断線（３１）を設けて前記一方のスリット（３２）と易破断線（３１）に囲まれた係止片（３０）を形成し、
上記フラップ（１６）と差し込み片（４０）の連接両端部は、Ｌ字状の他方のスリット（４５）が形成され、又は上下方向に対して左又は右に傾斜した他方のスリット（４１）が形成されているとともに、上記胴部（１０）の一方のスリット（３２）の両端部（３２ａ、３２ａ、３５、３５）も前記他方のスリット（４５、４１）に対応して同様のＬ字状又は傾斜して形成されており、
上記差し込み片（４０）が胴部（１０）表面から上記一方のスリット（３２）に差し込まれると、差し込み片（４０）両端の他方のスリット（４５、４１）と係止片（３０）の一方のスリット（３２）の両端部（３２ａ、３２ａ、３５、３５）とは、その両スリットの長さ方向の切断面が衝合して嵌り合って、その両スリットの上記Ｌ字状又は傾斜した両端部において、胴部（１０）と蓋板（１５）への上下左右の両方向からの力に対して前記嵌り合いが抗力を発揮するようになっている包装箱。
【請求項２】
上記一方のスリット（３２）の両端（３２ａ、３２ａ、３５、３５）から上記蓋板（１５）の先端部側に向かってミシン目（４３）を形成したことを特徴とする請求項１に記載の包装箱。
【発明の詳細な説明】
【技術分野】
【０００１】
この発明は、改ざん防止機能付きの包装箱に関する。
【背景技術】
【０００２】
薬品、化粧品、食料品等の物品（商品）を収納する、 改ざん防止機能付きの包装箱として、特許文献１、２に記載のように、前後板と左右の側板からなる四角筒状胴部と、その胴部の底面を塞ぐ底板と、同胴部の上面開口を塞ぐ蓋板と、蓋板の先端部に設けられるフラップと、を有し、前記フラップに一方のスリット（切り目）を横方向に形成し、前記蓋板を連接した胴部には、前記フラップが胴部表面から差し込まれる他方のスリットを横方向に形成するとともに、その他方のスリットの両端から下方に向かって易破断線を設けて前記他方のスリットと易破断線に囲まれた係止片を胴部に形成し、前記フラップが胴部表面から他方のスリットに差し込まれると、フラップと係止片とは、両スリットの長さ方向の切断面が衝合して嵌り合い（噛み合い）、その嵌り合いによってスリットロックして蓋板の閉止（蓋ロック）を行う構成としたり（特許文献１段落００１１〜００２１、図１〜図３等参照）、スリットロックのエッジを斜行切込みとしたりしたものがある（特許文献２段落００１１〜００３３１、図１〜図１０等参照）。
【０００３】
この包装箱は、蓋板を開封するには、係止片を易破断線を介して後板から切り離してスリットロックを開放しなければならない。この切り離された係止片は修復ができないため、蓋が開封されたことを容易に判断することができる。このため、改ざん防止機能付きの包装箱と言える。
【先行技術文献】
【特許文献】
【０００４】
【特許文献１】特開２０１０−２８５１８６号公報
【特許文献２】特開２０１１−５１６０６号公報
【発明の概要】
【発明が解決しようとする課題】
【０００５】
しかし、この従来の蓋ロック（スリットロック）構造は、両スリットが横方向（左右方向）真っ直ぐの直線状となっており（特許文献１図４〜図６参照）、蓋板の上下の移動に対しては抗力を発揮するが、左右方向の動きには有効な抗力を発揮し得ない。
【０００６】
この発明は、上記スリットロックにおいて、蓋板の上下方向の動きのみならず、左右方向の動きに対しても抗力を発揮し得るようにすることを課題とする。
【課題を解決するための手段】
【０００７】
この発明は、以上の課題を達成するために、上記スリットロックの嵌り合いの衝合線を、Ｌ字状、又は上下方向に対して左又は右に傾斜したものとしたのである。
衝合線がＬ字状であれば、そのＬ字の縦部分（垂直部分）で左右方向の動きに抗し、同横部分（水平部分）で上下方向の動きに抗することができる。また、衝合線が上下方向に対して左又は右に傾斜したものであれば、その傾斜した衝合線のスリットロックによって上下方向及び左右方向の両方向の動きに抗することができる。
【０００８】
この発明に係る包装箱の蓋ロック構造は、具体的には、 前後板と左右の側板からなる四角筒状胴部と、その胴部の底面を塞ぐ底板と、同胴部の上面開口を塞ぐ蓋板と、蓋板の先端部に設けたフラップと、そのフラップの先端縁に設けた差し込み片と、を有し、前記フラップを沿わせる胴部の前後板の一方に、差し込み片が胴部表面から差し込まれる一方のスリットを左右方向に形成するとともに、その一方のスリットの両端から下方に向かって易破断線を設けて一方のスリットと易破断線に囲まれた係止片を形成し、フラップと差し込み片の連接両端部は、Ｌ字状の他方のスリットが形成され、又は上下方向に対して左又は右に傾斜した他方のスリットが形成されているとともに、胴部の一方のスリットの両端部も他方のスリットに対応してＬ字状又は傾斜して形成されており、差し込み片が胴部表面から一方のスリットに差し込まれると、差し込み片両端の他方のスリットと係止片の一方のスリットの両端部とは、その両スリットの長さ方向の切断面が衝合して嵌り合って（スリットロックされて）、その両スリットのＬ字状又は傾斜した両端部において、胴部と蓋板への上下左右の両方向からの力に対して前記嵌り合いが抗力を発揮するようになっている構成を採用したのである。
【０００９】
この構成において、一方のスリットの両端から蓋板の先端部側に向かってミシン目を形成することができる。このようにすると、前板を押し込むなどして、スリットロックを外して蓋板を開放しようとすれば、前記押し込みなどによってそのミシン目を介してフラップが蓋板から切り離され易く、切り離されれば、蓋板を開放したことがわかる。
また、係止片は、その外周を区画する易破断線を他方のスリットの一端から下方に向かった後、他の端に連続する形状とすれば、蓋板を開ける際、その易破断線を介して係止片を胴部から切り離すことができる。この係止片の切り離しは、改ざんする際に生じやすい。
以上から、ミシン目や他方のスリットの両端に連続する易破断線は改ざん防止機能を発揮するものと言える。
【発明の効果】
【００１０】
この発明は以上のように構成したので、スリットロックされた蓋は安定したものとなる。
【図面の簡単な説明】
【００１１】
【図１】この発明に係る包装箱の一実施形態の前方からの斜視図
【図２】同実施形態の後方からの斜視図
【図３】同実施形態の展開図
【図４】同実施形態の蓋を閉じる前の斜視図
【図５Ａ】同実施形態の蓋閉止作用を示し、（ａ）は部分正面図、（ｂ）は（ａ）のＸ−Ｘ線拡大切断面図
【図５Ｂ】同蓋閉止作用を示し、（ａ）は部分正面図、（ｂ）は（ａ）のＸ−Ｘ線拡大切断面図
【図５Ｃ】同蓋閉止作用を示し、（ａ）は部分正面図、（ｂ）は（ａ）のＸ−Ｘ線拡大切断面図
【図６】同実施形態の蓋開放状態の斜視図
【図７】同実施形態の蓋を開放した後の作用を示し、（ａ）は差し込み片のスリットロックを外してフラップに対し起こした状態の部分斜視図、（ｂ）は（ａ）の部分断面図、（ｃ）は蓋を再封止した状態の部分斜視図、（ｄ）は（ｃ）の部分断面図
【図８】この発明に係る包装箱の他の実施形態の斜視図
【図９】同実施形態の展開図
【図１０】同実施形態の蓋開放作用説明斜視図
【図１１】この発明に係る包装箱のさらに他の実施形態の斜視図
【図１２】同実施形態の展開図
【図１３】この発明に係る包装箱のさらに他の実施形態の斜視図
【図１４】同実施形態の展開図
【図１５】同実施形態の蓋を開けた状態の斜視図
【図１６Ａ】同実施形態の蓋閉じ作用を示し、（ａ）は部分正面図、（ｂ）は（ａ）のＸ−Ｘ線切断面図
【図１６Ｂ】同蓋閉じ作用を示し、（ａ）は部分正面図、（ｂ）は（ａ）のＸ−Ｘ線切断面図
【発明を実施するための形態】
【００１２】
この発明に係る改ざん防止機能付きの包装箱の各実施形態を図１〜図１６Ｂに示し、この各実施形態の包装箱Ａ（Ａ１、Ａ２、Ａ３、Ａ４）は、板紙、プラスチックシート、又は紙とプラスチックの複合シート等から打ち抜かれた図３、図９、図１２、図１４に示す展開素材（ブランク）から製作される。なお、この明細書では、包装箱Ａを水平面上においた状態で、水平面上にて相直交する一方を前後、他方を左右と称し、水平面に対して直交する鉛直方向に沿う上方を上、下方を下と称する。また、ブランクの展開状態でいう各部の左右、上縁、下縁とは、このブランクが組立てられた図１、図２、図７、図１０、図１３で示す包装箱Ａの状態で、各部の左右、上縁、下縁を構成することとなるものを左右、上縁、下縁という。また、図３、図９、図１２、図１４中、太実線ｃは切り目線、細実線ｒは折り目線、破線ｒ’はミシン目線である。
【００１３】
一実施形態の包装箱Ａ１は、図１〜図３に示すように、底板１１とその前後の前板１２と後板１３と左右の側板１４、１４とで四角筒状胴部１０が構成され、後板１３の上縁に蓋板１５連設され、蓋板１５の先端部にフラップ１６が設けられている。さらに側板１４の上縁にはフラップ１４ａが設けられている。
側板１４、１４の一側縁にはフラップ片１７、１７がそれぞれ連接されており、折り目線ｒを介して内側に折り込んで前板１２に沿わせる。また、前板１２の先端縁には補強板１８、貼付片１９が連接されており、折り目線ｒを介して補強板１８を内側に折り曲げると共に、貼付片１９をミシン目ｒ’を介し谷折りして底板１１に貼付する。
側板１４、１４の他側縁には、中後片２０、２０がそれぞれ連接されており、この両中後片２０は折り目線ｒを介して内側に折り込み、その先端の鍵状部２１を噛み合わせることによって後板１３の内側に沿って位置する。
【００１４】
以上の構成は、従来周知の包装箱と同様であって、この発明の特徴は、前板１２に設けた係止片３０と、フラップ１６の先端中央部に設けた差し込み片４０との嵌り合い構造である。
係止片３０は、底板１１と前板１２との連接線（折り目線ｒ）から前板１２の先端（上縁）に向かって鍵状の切り目（スリット）３１が２個両側に形成されており、その両先端部に左右方向（横方向）円弧状の切り目（スリット）３２が形成されている。その鍵状の切り目３１は直線部３１ａと内側に４５度傾斜した傾斜部３１ｂとからなる。スリット３２の両端部は外側上方に４５度傾斜（図３において）した傾斜部３２ａとなっている。また、スリット３２の中央には縦方向のスリット３２ｂが形成されており、後述の指を掛けてこの係止片３０を切り起こす際、その指掛けがし易いようになっている。
このスリット３１、３２で易破断線が形成され、底板１１と前板１２との折り目線ｒとこの易破断線に囲まれた前板部分が係止片３０となる。易破断線のスリット３１の数は２個に限らず、３個、４個等と任意である。
【００１５】
差し込み片４０は、舌状を呈しその両側付け根に内側下方に４５度（＝θ）傾斜する（図３において）スリット（切り目）４１が形成されている。このスリット４１の傾斜方向及び長さは、上記係止片３０のスリット３２の傾斜部３２ａと同様の傾斜度（４５度）及び長さとなっており、スリット４１がスリット３２の両端傾斜部３２ａに対応して嵌り合う（噛み合う）ようになっている。差し込み片４０の中央には円弧状のスリット４２が形成されており、このスリット４２に指先を引っ掛けて蓋板１５を開放する（開く）。
スリット４１は、フラップ１６の先端縁と差し込み片４０の側縁との接続点より差し込み片４０の側縁に少し入った（例えば、１ｍｍ程度）位置から形成するとともに、スリット４１が少し隙間（例えば、０．５ｍｍ幅）を有するものとすると、係止片３０のスリット（傾斜部）３２ａへの嵌め込みが容易であって噛み合いが確実となる。
【００１６】
この実施形態の包装箱Ａ１は、以上の構成であり、図３に示す展開状態のブランクにおいて、底板１１に対し、折り目線ｒを介して両側板１４、１４を立ち上げると共に、その前後のフラップ片１７、１７及び中後片２０、２０を内側に折り曲げ、フラップ片１７を前板１２に沿わせ、中後片２０はその先端部を噛み合わせる。続いて、折り目線ｒ、ミシン目線ｒ’を介して前板１２、補強板１８、貼付片１９を折り曲げ、貼付片１９を底板１１内面にのり付けして、図４に示す四角筒状の有底胴部１０を構成する。
【００１７】
この状態で、胴部１０に菓子等の商品（物品）を収納し、その収納前後に、側板１４のフラップ１４ａを内側に折り曲げる。
この収納後、図１、図２に示すように、蓋板１５を胴部１０の開口を覆うように被せ、フラップ１６の差し込み片４０を前板１２の係止片３０のスリット３２に差し込む。その差し込みが行われると、差し込み片４０の両側のスリット４１が係止片３０のスリット３２の両端の傾斜部３２ａに対応してスリットロックがなされる。
【００１８】
すなわち、図５Ａ→図５Ｂ→図５Ｃに示すように、差し込み片４０を前板１２の係止片３０のスリット３２に差し込むと、差し込み片４０の両側のスリット４１と係止片３０のスリット３２両端傾斜部３２ａが、共に同じ長さで同方向に４５度の傾斜を有するものであるため、その４５度の傾斜を持って嵌り合って（噛み合って）スリットロックされる（図５Ｃ（ｂ）参照）。
【００１９】
この４５度のスリットロック状態は、図５Ｃ（ａ）に示すように、胴部１０（前板１２）に対する蓋板１５（フラップ１６）の上下方向及び左右方向の動きに対してその衝合面が抗するため、蓋板１５が動くことがない。また、前記スリットロックは、係止片３０による差し込み片４０の押さえ込み（図５Ｃ（ｂ）の白抜き矢印参照）によって嵌り度合いは強固になっているため、蓋板１５を開放しようとすれば、係止片３０をその両側のスリット３１を介して切り起こしてそのスリットロックを外さなければ、開放することができない。このため、蓋板１５を開放すると、係止片３０の切り目（スリット）３１の何れかが変形するため、改ざんの痕跡が残る。すなわち、この包装箱Ａ１は改ざん防止機能を有するものである。
【００２０】
因みに、係止片３０の外側の前板１２を押して差し込み片４０を上方にスライドすると、スリット３２両端傾斜部３２ａとスリット４１のスリットロックが解除されて蓋板１５が開放される恐れがあるが、この実施形態においては、補強板１８が貼付片１９を介し底板１１に固定されて前板１２の剛性を高めているため、その恐れが極めて少なくなっている。
【００２１】
蓋板１５の開放は、図６に示すように、係止片３０をスリット３２からその先端を指で摘んでスリット３１を介して切り起こし、スリットロックを解除する。この解除によって、差し込み片４０は開放されて蓋板１５が開放可能となる。
この開放状態において、図７（ａ）、（ｂ）に示すように、係止片３０を起こしてスリット３１、３２を介して前板１２内に嵌め込むとともに、差し込み片４０を水平方向に起こすと、スリット４２で形成された円弧状突片４０ａがそのスリット４２から突出状態となる。この作用に伴って、同図（ｃ）、（ｄ）に示すように、その差し込み片４０を突片４０ａが前板１２のスリット３２に入り込むように前板１２側に倒伏すると、その突片４０ａがスリット３２を介して前板１２の裏面に入り込んで前板１２に係止して蓋板１５の再閉止状態を維持する。
【００２２】
この発明に係る改ざん防止機能付きの包装箱の他の実施形態を図８〜図１０に示し、この実施形態の包装箱Ａ２は、上記実施形態の包装箱Ａ１と同様の素材の図９に示す如くの展開素材から製作される。
【００２３】
この包装箱Ａ２は、上記包装箱Ａ１において、同一符号は同一物を示し、胴部１０をなす前後板１２、１３、側板１４の大きさを異ならせ、底板１１を、所謂、地獄底構造としたものである。その底板１１は、前後板１２、１３の下縁に底板片１１ａ、１１ｂが連接されており、従来と同様に、対の底板片１１ａ、１１ｂの係止片１１ａ’、１１ｂ’を噛み合わせて、側板１４の下側フラップ１４ｂに貼付することによって構成される。胴部１０は、前後板１２、１３及び側板１４を四角状に折り込み、後板１３の貼付片１９’を側板１４の裏面に貼着することによってその四角筒状が維持される。
【００２４】
また、前板１２の上縁にフラップ１２ａが設けられている。このフラップ１２ａを胴部１０の内側に折曲することによって前板１２の左右方向における屈曲強度が向上する。このため、差し込み片４０をスリット３２に差し込んでスリット３２ａ、４１によるスリットロックを行った際、前板１２が撓み難いため、そのスリットロックの強度が向上する。
さらに、差し込み片４０両側スリット４１、４１の内側端から蓋板１５に向かうミシン目４３が形成されて、差し込み片４０を係止片３０のスリット３２から引き抜く際、そのミシン目４３が裂かれやすいため、改ざんされたことをより確実に確認することができる。このミシン目４３は上記実施形態の包装箱Ａ１においても形成し得る（図３参照）。
【００２５】
この発明に係る改ざん防止機能付きの包装箱のさらに他の実施形態を図１１、図１２に示し、この実施形態の包装箱Ａ３は、上記実施形態の包装箱Ａ２において、係止片３０を切り離し可能としたものであり、同様に、差し込み片４０のスリット３２への差しこみによってスリット４１、スリット３２の端部３２ａによってスリットロックされる。
この実施形態の包装箱Ａ３は、蓋板１５の開放時、係止片３０を前板１２（胴部１０）から切り離すことができるため、開放されたことがはっきりと確認できる。
【００２６】
この発明に係る改ざん防止機能付きの包装箱のさらに他の実施形態を図１３〜図１６Ｂに示し、この実施形態の包装箱Ａ４は上記各実施形態と異なり、その相違点は、スリットロックの構造を異ならせた点と、胴部の大きさや形状を異ならせた点であり、胴部１０の大きさ・形状は、前後板１２、１３、底板１１、側板１４等の大きさ・形状を変えたものであって、その作用は、各実施形態と同様である。
【００２７】
この実施形態のスリットロックは、前板１２に設けた上記係止片３０と同形状の係止片３０において、その係止片３０のスリット３２の両端部が、水平から垂直に切り込まれた垂直部３５ａとその下端から水平に切り込まれた水平部３５ｂとからなるＬ字状のスリット３５となっている。
差し込み片４０は、その突出方向の中程左右にスリット４５が形成されており、そのスリット４５は、側縁から内側に向く水平部４５ｂとその水平部４５ｂの先端から下方に向く垂直部４５ａとからなるＬ字状を呈している。このＬ字状スリット４５と上記係止片３０のＬ字状スリット３５は同一形状をしている。
【００２８】
この実施形態の包装箱Ａ４は、以上の構成であり、図１４に示す展開状態のブランクにおいて、底板１１に対し、折り目線ｒを介し、両側板１４、１４を立ち上げると共に、その前後のフラップ１４ａ、１４ａを内側に折り曲げ、貼付片１９’を側板１４に沿わせて貼付して胴部１０を構成する。底板１１は、包装箱Ａ３と同様に、対の底板片１１ａ、１１ｂの係止片１１ａ’、１１ｂ’を噛み合わせて、側板１４の下側フラップ１４ｂに貼付することによって構成される。
【００２９】
この図１５に示す、蓋板１５を閉じる前の状態で、胴部１０に菓子等の商品を収納し、その収納前後に、側板１４のフラップ１４ａを内側に折り曲げる。
この収納後、図１３に示すように、蓋板１５を胴部１０の開口を覆うように被せ、図１６Ａ→図１６Ｂに示すように、フラップ１６の差し込み片４０を前板１２の係止片３０のスリット３２に差し込む。その差し込みが行われると、差し込み片４０の両側のスリット４５が係止片３０の両端のＬ字状スリット３５に対応してスリットロックがなされる。
すなわち、差し込み片４０の両側のスリット４５と係止片３０の両端Ｌ字状スリット３５が共に、同じ大きさのＬ字状を有するものであるため、そのＬ字状を持って嵌り合ってスリットロックされる（図１６Ｂ参照）。
【００３０】
このＬ字状のスリットロック状態は、胴部１０に対する蓋板１５（フラップ１６）の上下方向及び左右方向の動きに対してその衝合面が抗するため、蓋板１５が動くことがない（図１６Ｂ（ａ）参照）。また、上記スリットロックは、係止片３０による差し込み片４０の押さえ込みによって嵌り度合いは強固になっているため（図１６Ｂ（ｂ）参照）、蓋板１５を開放しようとすれば、係止片３０をその両側のスリット３５を介して切り起こしてそのスリットロックを外さなければ、開放することができない。このため、蓋板１５を開放すると、係止片３０の切り目（スリット）３５の何れかが変形するため、改ざんの痕跡が残る。すなわち、この包装箱Ａ４も改ざん防止機能を有するものである。
【００３１】
蓋板１５の開放は、図１５の鎖線で示すように、係止片３０をスリット３２からその先端を指で摘んでスリット３１を介して切り起こし、スリットロックを解除して行う。その係止片３０先端の指摘みには、前板１２上縁の切欠き３６を形成することによって容易となっている。
この実施形態においても、包装箱Ａ３のように、差し込み片４０の両側のスリット４５（垂直部４５ａ）の内側端から蓋板１５に向かうミシン目４３を形成すれば、差し込み片４０を係止片３０のスリット３２から引き抜く際、そのミシン目４３が裂かれやすいため、改ざんされたことをより確実に確認することができる。
【００３２】
因みに、各実施形態の包装箱Ａにおいて、その内部に適宜な間仕切りを装填して、その間仕切りによって収納する物品のガタを無くすることは言うまでもない。
【００３３】
なお、スリットロックをなす傾斜スリット３２ａ、４１の傾斜度θは内側４５度に限らず、スリットロックによって蓋板１５の開放が阻止されれば任意である。このため、包装箱Ａの大きさや形状に基づき、実験などによって適宜に決定する。因みに、包装箱Ａ２の実施形態においては、最も好ましい傾斜角度θが４５度であり、４５度から４０度の範囲（４５度≧θ≧４０度）であれば４５度とほぼ同等であり、４０度〜３０度（４０度≧θ≧３０度）及び４５度〜５０度（４５度≦θ≦５０度）の範囲では使用に耐えた。
また、同スリットロックをなすＬ字状のスリット３５、４５の水平部３５ｂ、４５ｂと垂直部３５ａ、４５ａは直交しなくても、蓋板１５の上下左右方向の動きを阻止し得れば、８０度交差、４５度交差等と任意である。
上記各実施形態において、前板１２を後板、後板１３を前板と考えて、同様な、係止片及び差し込み片を設ければ、この発明の構成とし得る。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３４】
１０  包装箱胴部
１１  底板
１２  前板
１３  後板
１４  側板
１５  蓋板
１６  フラップ
１７  フラップ片
１８  補強板
１９、１９’  貼付片
２０  中後片
３０  係止片
３１  スリット
３１ａ  スリットの直線部
３１ｂ  同傾斜部
３２  差し込み片用差し込みスリット
３５  係止片のＬ字状スリット
３５ａ  同Ｌ字状スリットの垂直部
３５ｂ  同水平部
４０  差し込み片
４１  差し込み片の傾斜スリット
４５  差し込み片のＬ字状スリット
４５ａ  同Ｌ字状スリットの垂直部
４５ｂ  同水平部
Ａ１、Ａ２、Ａ３、Ａ４  包装箱
【図１】
2020111373.tif 000003
【図２】
2020111373.tif 000004
【図３】
2020111373.tif 000005
【図４】
2020111373.tif 000006
【図５Ａ】
2020111373.tif 000007
【図５Ｂ】
2020111373.tif 000008
【図５Ｃ】
2020111373.tif 000009
【図６】
2020111373.tif 000010
【図７】
2020111373.tif 000011
【図８】
2020111373.tif 000012
【図９】
2020111373.tif 000013
【図１０】
2020111373.tif 000014
【図１１】
2020111373.tif 000015
【図１２】
2020111373.tif 000016
【図１３】
2020111373.tif 000017
【図１４】
2020111373.tif 000018
【図１５】
2020111373.tif 000019
【図１６Ａ】
2020111373.tif 000020
【図１６Ｂ】
2020111373.tif 000021